(57)【要約】【課題】簡素な構成で製造安価であり、しかも、簡易に使用できながらも高級感を与えられる封蝋を提供すること。【解決手段】シールとして貼り付けて使用される封蝋において、骨格をなす基層と、貼り付けられた際に表面となる表層と、貼り付く作用を有する粘着層とを少なくとも備え、基層が紙または樹脂または金属から成ると共に、表層が金属または樹脂または紙から成り、表層には所定の文様を表す凹凸加工が施され、その凹凸加工に立体感を与える厚みが表層と基層の少なくとも一方に具備される。【選択図】図１
0003153049.tif 000002
【実用新案登録請求の範囲】
【請求項１】
シールとして貼り付けて使用される封蝋であって、
骨格をなす基層と、貼り付けられた際に表面となる表層と、貼り付く作用を有する粘着層とを少なくとも備え、
基層が紙または樹脂または金属から成ると共に、表層が金属または樹脂または紙または塗料から成り、
表層には所定の文様を表す凹凸加工が施され、その凹凸加工に立体感を与える厚みを表層と基層の少なくとも一方が具備する
ことを特徴とする封蝋。
【請求項２】
基層が、両面粘着テープで構成される
請求項１に記載の封蝋。
【請求項３】
表層が、予め所定の文様を刻印されたシートで構成される
請求項１または２に記載の封蝋。
【請求項４】
粘着層に、封蝋の剥離時に破裂可能であり香料の充填されるマイクロカプセルが埋設された
請求項１ないし３のいずれかに記載の封蝋。
【考案の詳細な説明】
【技術分野】
【０００１】
本考案は、シールとして貼り付けて簡易に使用できる封蝋に関する。
【背景技術】
【０００２】
封書や箱や瓶などを封印する手段として、古くから封蝋が知られている。その封蝋は、溶融ワックスを用い、刻印して固める形態であった。これによると、高級感は与えられるが、手間と経費を要する。
それを簡略化した従来品には、溶融ワックスを用いないで、予め形状の定まったシリコンやワックス等の固形物と粘着剤とを用いたものがある。
また、シリコンやワックス等の立体物を用いないで、単なるシールで代用する従来品もあるが、平坦なため高級感は与えられない。
【０００３】
封蝋に関連する従来技術には、特許文献１〜３などもあるが、簡易に使用できながらも高級感を与えられ、しかも製造安価な封蝋はなかった。
【先行技術文献】
【特許文献】
【０００４】
【特許文献１】特開２００９−９６１６０  「飾り用埋め込み穴付き封蝋印」
【特許文献２】特開２００６−１３９２３５  「開封防止シール」
【特許文献３】実開平５−７９５８０  「封印用シール」
【考案の概要】
【考案が解決しようとする課題】
【０００５】
そこで、本考案は、簡素な構成で製造安価であり、しかも、簡易に使用できながらも高級感を与えられる封蝋を提供することを課題とする。
【課題を解決するための手段】
【０００６】
上記課題を解決するために、本考案の封蝋は、次の構成を備える。すなわち、シールとして貼り付けて使用される封蝋において、骨格をなす基層と、貼り付けられた際に表面となる表層と、貼り付く作用を有する粘着層とを少なくとも備え、基層が紙または樹脂または金属から成ると共に、表層が金属または樹脂または紙または塗料から成り、表層には所定の文様を表す凹凸加工が施され、その凹凸加工に立体感を与える厚みを表層と基層の少なくとも一方が具備することを特徴とする。
【０００７】
ここで、基層を、両面粘着テープで構成して、製造の簡素化に寄与させてもよい。
【０００８】
表層を、予め所定の文様を刻印されたシートで構成して、製造の簡素化に寄与させてもよい。
【０００９】
粘着層に、封蝋の剥離時に破裂可能なマイクロカプセルが埋設して、付加価値を設けてもよい。
【００１０】
マイクロカプセルに香料が充填して、付加価値を設けてもよい。
【００１１】
マイクロカプセルが破裂音を発声可能なもので構成して、付加価値を設けてもよい。
【考案の効果】
【００１２】
本考案の封蝋によると、簡易に使用できながらも高級感を得られるので使用者を満足させられ、また、簡素な構成で製造安価であるので製造販売者にも寄与する。
【図面の簡単な説明】
【００１３】
【図１】（ア）封蝋の正面図  （イ）同、側面断面図
【図２】別実施例の封蝋の側面断面図
【図３】同、別実施例の側面断面図
【図４】同、別実施例の側面断面図
【考案を実施するための形態】
【００１４】
以下に、本考案の実施形態を説明する。なお、本考案の趣旨から逸脱しない範囲で、適宜設計変更可能であり、前記特許文献や従来公知の技術を援用可能である。
図１（ア）（イ）は、本考案による封蝋の正面図及び側面断面図である。
本実施例の封蝋は、骨格をなす基層（１０）と、貼り付けられた際に表面となる表層（１１）と、貼り付く作用を有する粘着層（１２）との３層構造であり、粘着層（１２）に剥離紙（２０）が付設されている。なお、粘着層（１２）には、非移行性の粘着剤が適宜利用できる。
【００１５】
基層（１０）は紙や樹脂や、アルミニウム等の金属で構成され、その基層（１０）の上面に表層（１１）として塗料が塗布されて一体化されている。なお、塗布には、広義の印刷など、塗料を添加すること一般を含む。
【００１６】
表層（１１）には、所定の文様を表す凹凸加工が施されている。図示の例では、「祝」という文字形状の凹凸（１３）が備わる。凹凸（１３）の文様には、メッセージや名称やロゴや模様などを任意に適用できる。
凹凸（１３）は、立体感を視認させられる厚みを有することが好ましいので、図示のように、表層（１１）のみに凹凸（１３）を設けると共に表層（１１）に塗料を用いる場合は厚く塗布する。
【００１７】
図２は、別実施例の封蝋の側面断面図である。
上記実施例とは、凹凸（１３）の位置に差異がある。すなわち、基層（１０）と表層（１１）の双方に、凹凸（１３）が設けられている。
基層（１０）に凹凸加工可能な素材を用いれば、表層（１１）の用いる塗料を薄く塗布可能となる。
【００１８】
図３も、別実施例の封蝋の側面断面図である。
図１に示した実施例とは、基層（１０）と表層（１１）との間に粘着層（１４）が備わる点に最も差異がある。
基層（１０）と粘着層（１２）（１４）との３層が予め一体化された両面粘着テープを用いてもよい。
【００１９】
表層（１１）には、金属や樹脂や紙が利用できる。予め所定の文様を刻印されたシートを用いてもよい。
表層（１１）は、粘着層（１４）に貼着させるので、厚みが大きく一層立体感を与えられる構成を容易に形成できる。
【００２０】
図４も、別実施例の封蝋の側面断面図である。
図１に示した実施例とは、粘着層（１２）にマイクロカプセル（１５）が埋設されている点に最も差異がある。
封蝋を曲げて封筒（３０）から剥がす時の負荷で、マイクロカプセル（１５）を破裂可能である。
マイクロカプセル（１５）には香料を充填しておいて、封蝋の剥離時に香るようにしてもよい。また、破裂音を発声可能なマイクロカプセル（１５）を用いて、封蝋の剥離時に音で楽しめるようにしてもよい。
【産業上の利用可能性】
【００２１】
以上のように、本考案によると、安価に製造でき、使用者にとっては簡易に使えながらも高級感を得られるので、封蝋の普及につながり、産業上非常に有用である。
【符号の説明】
【００２２】
１０    基層
１１    表層
１２、１４    粘着層
１３    凹凸
１５    マイクロカプセル
２０    剥離紙
３０    封筒
【図１】
0003153049.tif 000003
【図２】
0003153049.tif 000004
【図３】
0003153049.tif 000005
【図４】
0003153049.tif 000006